(57)【要約】【課題】  基準電位面にアースされた固定部に対してヒンジ機構を介して回転部が回転可能に設けられた構成において、回転動作に影響を受けることなく回転部の確実なアースを可能にする手段を提供する。【解決手段】  本発明に係る回転部のアース構造は、基準電位面に接地され電気部品を収容する装置本体７３と、金属製の部材を有する外装カバー７４と、装置本体７３に突出して設けられた回転軸５と、外装カバー７４に設けられて回転軸５を回転可能に支持する軸受け９と、外装カバー７４が有する金属製の部材と回転軸５とを電気的に接続するアース配線１４と、を備えるものである。【選択図】  図３
2010122359.tif 000002
【特許請求の範囲】
【請求項１】
基準電位面に接地された固定部と、
金属製の部材を有する回転部と、
前記固定部及び前記回転部のうち少なくともいずれか一方に設けられた電気部品と、
前記固定部及び前記回転部のうちいずれか一方に突出して設けられ、前記固定部に電気的に接続された導電性を有する回転軸と、
前記固定部及び前記回転部のうちいずれか他方に設けられ前記回転軸を回転可能に支持する軸受けと、
前記回転部が有する金属製の部材と前記回転軸とを電気的に接続するアース配線と、
を備えることを特徴とする回転部のアース構造。
【請求項２】
前記回転軸が前記固定部に、前記軸受けが前記回転部にそれぞれ設けられ、
前記アース配線の前記回転軸側の端部に、前記回転部に固定されて弾性変形した状態で前記回転軸に接触する導電性アース部材が設けられたことを特徴とする請求項１に記載の回動部のアース構造。
【請求項３】
前記固定部が、画像読取装置を構成する自動原稿搬送装置の装置本体であって、前記回転部が、前記装置本体に対して開閉可能に設けられた外装カバーであることを特徴とする請求項１又は２に記載の回転部のアース構造。
【請求項４】
前記回転部が有する金属製の部材が、前記原稿を搬送する送りローラのローラ軸であることを特徴とする請求項３に記載の回転部のアース構造。
【発明の詳細な説明】
【技術分野】
【０００１】
本発明は、基準電位面にアースされた固定部に対して回転可能に設けられた回転部のアース構造に関し、特に、回転部を回転させた際にアースが不安定になることのない回転部のアース構造に関する。
【背景技術】
【０００２】
コピー機、ファクシミリ、スキャナ等には、複写しようとする原稿やファクシミリ送信しようとする原稿の画像を読み取るための画像読取装置が搭載されている。この画像読取装置は、所定の搬送経路に沿って原稿を自動的に搬送する自動原稿搬送装置（以下、「ＡＤＦ」と略す）と、その搬送経路上において原稿画像を読み取る読取ユニットとから構成される。図７は、従来のＡＤＦ７０の外観を示す概略斜視図である。ＡＤＦ７０は、原稿トレイ７１にセットされた原稿７２が、装置本体（固定部）７３の内部に順次繰り込まれて搬送され、原稿トレイ７１の下方に設けられた排紙トレイ（不図示）に排出されるよう構成される。ここで、装置本体７３の上部には、外装カバー（回転部）７４がヒンジ機構７５を介して開閉可能に設けられている。これにより、原稿詰まりが発生した場合には、この外装カバー７４を開いて内部を露呈させることにより、詰まった原稿７２を除去できるようになっている。
【０００３】
ここで、図８は、外装カバー７４を装置本体７３から取り外して裏返した状態を示す概略斜視図である。外装カバー７４の内側面には、原稿搬送方向に向かって左右両側に、一対の側壁７６が垂直に起立してそれぞれ設けられている。そして、この左右の側壁７６の間には、原稿７２を搬送するための種々のローラ７７が、それぞれ回転可能に支持されている。ここで、各ローラ７７は、金属製のローラ軸７８の周りに樹脂製のローラ本体７９が固定されてなるものである。
【０００４】
このように構成される外装カバー７４は、装置本体７３に電気的に接続することによってアースされている。これは、ＡＤＦ７０には、種々の電気部品（不図示）を流れる電流により磁界が発生するが、外装カバー７４にアースされていない金属製の部材が取り付けられていると、その金属製の部材がアンテナとして機能することでいわゆる放射ノイズが発生し、その影響を受けて電気部品が誤作動する問題、或いは読取ユニットによる原稿７２の読取画質が劣化する問題等が生じるからである。特に、外装カバー７４に設けられた各種ローラ７７は、その回転時に金属製のローラ軸７８に静電気が溜まってアンテナとして機能しやすいため、放射ノイズ発生の原因となりやすい。そこで、図８に示すように、各ローラ７７のローラ軸７８に接触させるようにして長尺な接続板８０を架け渡し、この接続板８０に一端を接続したアース配線８１を外装カバー７４の外部へ引き出している。そして、図８に詳細は示さないが、このアース配線８１の他端を、基準電位面にアースされた装置本体７３の所定箇所に接続している。このように、回転部としての外装カバー７４を、固定部としての装置本体７３に電気的に接続してアースすることによって、放射ノイズの発生を防止している。
【０００５】
尚、基準電位面にアースされた固定部に対してヒンジ機構を介して回転可能に設けられた回転部をアースする構造としては、特許文献１に示される構造が従来提唱されている。この特許文献１では、ヒンジ機構が、固定部に固定される第１の板金と、回転部に固定される第２の板金と、これら各板金を回転可能に支持する回転軸とを備え、第１の板金が固定部に、第２の板金が回転部にそれぞれ電気的に接続されている。そして、このような構成において、第１の板金と第２の板金の間に、金属製のコイルバネを圧縮した状態で介在させている。これにより、コイルバネはその弾性によって両端が各板金に常に接触するので、回転動作にかかわらず回転部の確実なアースが可能となる。
【０００６】
【特許文献１】特開２００５−１６５１７７号公報
【発明の開示】
【発明が解決しようとする課題】
【０００７】
しかし、従来の外装カバー７４のアース構造では、外装カバー７４から引き出したアース配線８１を装置本体７３に接続する構造であるため、外装カバー７４の開閉動作に伴ってアース配線８１が屈曲し或いは引っ張られて伸びると、外装カバー７４のアースが不安定になりやすいという問題がある。また、図７に示す外装カバー７４と装置本体７３との境界８２をアース配線８１が跨ぐので、見栄えが悪いという問題もある。
【０００８】
本発明は、このような問題に鑑みてなされたものであり、基準電位面にアースされた固定部に対してヒンジ機構を介して回転部が回転可能に設けられた構成において、回転動作に影響を受けることなく回転部の確実なアースを可能にする手段を提供する。
【課題を解決するための手段】
【０００９】
上記目的を達成するための本発明に係る回転部のアース構造は、基準電位面に接地された固定部と、金属製の部材を有する回転部と、前記固定部及び前記回転部のうち少なくともいずれか一方に設けられた電気部品と、前記固定部及び前記回転部のうちいずれか一方に突出して設けられ、前記固定部に電気的に接続された導電性を有する回転軸と、前記固定部及び前記回転部のうちいずれか他方に設けられ前記回転軸を回転可能に支持する軸受けと、前記回転部が有する金属製の部材と前記回転軸とを電気的に接続するアース配線と、を備えるものである。
【００１０】
また、本発明に係る回転部のアース構造は、前記回転軸が前記固定部に、前記軸受けが前記回転部にそれぞれ設けられ、前記アース配線の前記回転軸側の端部に、前記回転部に固定されて弾性変形した状態で前記回転軸に接触する導電性アース部材が設けられたものである。
【００１１】
また、本発明に係る回転部のアース構造は、前記固定部が、画像読取装置を構成する自動原稿搬送装置の装置本体であって、前記回転部が、前記装置本体に対して開閉可能に設けられた外装カバーであることを特徴とするものである。
【００１２】
また、本発明に係る回転部のアース構造は、前記回転部が有する金属製の部材が、前記原稿を搬送する送りローラのローラ軸であることを特徴とするものである。尚、本発明に係る送りローラとは、原稿を搬送経路に沿って下流側へ送るローラ全般を意味し、セパレートローラ、ピックアップローラ、第１従動ローラ、及び第２従動ローラ等を含むものである。
【発明の効果】
【００１３】
本発明に係る回転部のアース構造によれば、回転部が有する金属製の部材をアースするためのアース配線が、回転部と固定部の間を跨がないので、回転部の回転時に回転部アース線が屈曲し或いは引っ張られて延びることによって回転部のアースが不安定化することがない。また、長期に渡って回転部の回転を繰り返しても、アース配線がダメージを受けることがない。更に、アース配線の全体が回転部の内部に収容されるので、アース配線が回転部の外部に剥き出しになって美観が損なわれることもない。
【００１４】
また、本発明に係る回転部のアース構造によれば、回転軸が固定部に軸受けが回転部にそれぞれ設けられ、アース配線の回転軸側の端部に導電性アース部材が設けられたので、回転部の回転動作時に軸受けの内部で回転軸が若干動いても、回転軸の動きに追従して導電性アース部材が弾性変形することにより、導電性アース部材が回転軸に接触した状態が維持される。これにより、アース配線と回転軸との電気的な接続が、回転部の回転動作によって不安定になるのを防止することができる。
【００１５】
また、本発明に係る回転部のアース構造によれば、固定部が自動原稿搬送装置の装置本体であって、回転部が装置本体に対して開閉可能に設けられた外装カバーである。従って、装置本体に収容された電気部品に電流が流れて磁界が発生しても、外装カバーに取り付けられた金属製の部材がアンテナとして機能しにくく、放射ノイズの発生が抑制される。これにより、放射ノイズの影響を受けて画像読取装置の読取画質が劣化するのを防止することができる。
【００１６】
また、本発明に係る回転部のアース構造によれば、回転部が有する金属製の部材が、送りローラのローラ軸である。従って、回転時に生じる静電気が溜まって特にアンテナとして機能しやすいローラ軸をアースすることにより、放射ノイズの発生をより確実に抑制することができる。
【発明を実施するための最良の形態】
【００１７】
まず、本発明の実施例に係る回転部のアース構造について、図面に基づいて説明する。本実施例に係る回転部のアース構造は、画像読取装置の一部を構成するＡＤＦに適用される。本実施例に係るＡＤＦの外観は、図７に示す従来のＡＤＦ７０の外観と同様であるため、同じ符号を使用する。ＡＤＦ７０は、装置本体７３（固定部）と、読み取るべき原稿７２がセットされる原稿トレイ７１と、この原稿トレイ７１の下方に設けられ読み取り後の原稿７２が排出される排紙トレイ（不図示）と、装置本体７３の上部にヒンジ機構７５を介して開閉可能に設けられた外装カバー７４（回転部）とを備えている。このように外装カバー７４を開閉可能とすることにより、原稿詰まりが発生した場合には、外装カバー７４を開いて詰まった原稿７２を除去できるようになっている。
【００１８】
ここで、図１は、図７から外装カバー７４を開いた状態を示す概略斜視図である。装置本体７３の表面には、原稿トレイ７１から排紙トレイに至る横Ｕ字形状の搬送経路１が設けられている。この搬送経路１の最上流部には、リタードローラ２が回転可能に設けられている。そして、このリタードローラ２より下流側の位置には、原稿７２を下流側へ搬送するための第１搬送ローラ３及び第２搬送ローラ４が回転可能に設けられている。尚、図１には横Ｕ字形状の搬送経路１のうち上半分だけを図示しているが、搬送経路１の下半分にも同様に搬送ローラが適宜の間隔で設けられている。また、図１に詳細は示さないが、装置本体７３の内部には、リタードローラ２及び各搬送ローラ３，４等を駆動するための各種電気部品が収容されている。
【００１９】
また、図２は、図７から外装カバー７４を取り外した状態において、原稿搬送方向に向かって右側のヒンジ機構７５を拡大した概略斜視図である。装置本体７３の側部には、ヒンジ機構７５を構成する金属製の回転軸５が、原稿搬送方向と略直交する方向に突出して設けられている。ここで、図２に詳細は示さないが、この回転軸５は、装置本体７３に電気的に接続され、この装置本体７３は基準となる電位面に対してアースされている。これにより、回転軸５は基準電位面に対して電気的に接続された状態となっている。尚、図７に示す原稿搬送方向に向かって左側のヒンジ機構７５についても、これを構成する回転軸５が、右側のヒンジ機構７５の回転軸５と向かい合うようにして、装置本体７３の側部に突出して設けられている。尚、回転軸５は、金属製に限られず例えば導電性を有する樹脂によって形成してもよい。
【００２０】
一方、図３は、外装カバー７４を装置本体７３から取り外して裏返した状態を示す概略斜視図である。外装カバー７４は、樹脂等を薄板状に成型してなるカバー本体６と、このカバー本体６の内側面７に原稿搬送方向に沿って設けられた左右一対の側壁８と、各側壁８の最下流部に設けられた左右一対の軸受け９と、左右の側壁８によって挟まれた領域における最上流側の位置に設けられた給紙ユニット１０と、この給紙ユニット１０より下流側の位置に設けられた第１従動ローラ１１及び第２従動ローラ１２と、給紙ユニット１０と第１従動ローラ１１の間の位置に設けられた補強ステー１３と、外装カバー７４をアースするためのアース配線１４とを備えている。
【００２１】
前記左右一対の軸受け９は、装置本体７３の回転軸５と共にヒンジ機構７５を構成するものである。この軸受け９は、図３に示すように、樹脂等からなる細長の部材であって、その一端部を貫通して回転軸５を挿入するための挿入孔１５が形成されている。ここで、この挿入孔１５は、その径が回転軸５と略同径に、且つその長さが回転軸５の突出長より若干長く形成されている。また、軸受け９の挿入孔１５側の端部は円弧状に形成され、外装カバー７４の開閉時に装置本体７３に干渉しないようになっている。このように構成される一対の軸受け９は、カバー本体６の内側面７における最下流側の位置にそれぞれ固定され、挿入孔１５の形成された側の端部がカバー本体６の縁部より若干外側に突出している。
【００２２】
前記給紙ユニット１０は、原稿トレイ７１にセットされた原稿７２を１枚ずつ搬送経路１に繰り込むためのものである。この給紙ユニット１０は、図３に示すように、原稿トレイ７１にセットされた原稿７２の束から最上部に位置する数枚を取り出すピックアップローラ１６と、取り出された数枚の原稿７２から最上紙だけを分離するセパレートローラ１７とから構成される。セパレートローラ１７は、回転駆動される金属製のローラ軸１８の略中央に樹脂製のローラ本体１９が設けられたものであって、外装カバー７４を閉じた時にローラ本体１９が前記リタードローラ２に密着する位置に設置されている。一方、ピックアップローラ１６は、金属製のローラ軸２０の両端部に樹脂製のローラ本体２１がそれぞれ設けられたものであって、セパレートローラ１７のローラ軸１８に取り付けられた左右一対のピックアップアーム２２によってローラ軸１８の両端が回転可能に支持されるとともに、ベルト伝達機構２３によってセパレートローラ１７のローラ軸１８の回転がピックアップローラ１６のローラ軸１８に伝達されるようになっている。
【００２３】
このように構成される給紙ユニット１０は、原稿７２の読取動作を行わない時は、セパレートローラ１７及びピックアップローラ１６の回転が停止し、ピックアップアーム２２はピックアップローラ１６を上方に持ち上げて原稿７２から離した状態となっている。一方、原稿７２の読取動作が開始されると、セパレートローラ１７が駆動され、その回転がベルト伝達機構２３によってピックアップローラ１６に伝達されることにより、ピックアップローラ１６も回転を開始する。また、セパレートローラ１７の回転に伴って、ピックアップアーム２２がピックアップローラ１６を下降させるように回転する。そして、回転しながら下降してきたピックアップローラ１６が原稿７２に接触することにより、最上紙から数枚が取り出され、セパレートローラ１７とリタードローラ２のニップ部へと送り込まれる。ここで、セパレートローラ１７は原稿７２を下流側へ搬送する方向に回転するのに対し、リタードローラ２はこれと逆方向に回転することにより、ニップ部に送り込まれた数枚の原稿７２から最上紙だけが分離されて搬送経路１へ送り込まれる。このようにして、原稿トレイ７１の上の原稿７２が順次搬送経路１へ繰り込まれる。
【００２４】
前記第１従動ローラ１１及び第２従動ローラ１２は、装置本体７３の第１搬送ローラ３及び第２搬送ローラ４と協働して、原稿７２を搬送経路１に沿って下流側に搬送するためのものである。第１従動ローラ１１は、図３に示すように、金属製のローラ軸２４に沿って樹脂製のローラ本体２５が複数個設けられたものである。このように構成される第１従動ローラ１１は、カバー本体６の内側面７に所定間隔で固定された支持部材２６によって回転可能に支持されている。同様に、第２従動ローラ１２も、金属製のローラ軸２７に沿って樹脂製のローラ本体２８が複数個設けられたものであって、カバー本体６の内側面７に固定された支持部材２９によって回転可能に支持されている。そして、外装カバー７４を閉じた時に、第１従動ローラ１１のローラ本体２５が第１搬送ローラ３に密着し、第２従動ローラ１２のローラ本体２８が第２搬送ローラ４に密着する。これにより、各搬送ローラ３，４が駆動されると各従動ローラ１１，１２がこれに従って回転するので、各搬送ローラ３，４と各従動ローラ１１，１２とで原稿７２をニップして下流側へ搬送することができる。
【００２５】
前記補強ステー１３は、カバー本体６を構造的に補強するためのものである。この補強ステー１３は、図３に示すように、金属製の長尺な部材であって、左右の側壁８の間隔と略等しい長さを有している。このように構成される補強ステー１３は、給紙ユニット１０と第１従動ローラ１１の間の位置に、その両端部を左右の側壁８にそれぞれ密着させるようにして配置され、ネジ３０を用いてカバー本体６の内側面７に固定されている。
【００２６】
前記アース配線１４は、外装カバー７４に取り付けられた金属製の部材を電気的にアースするためのものである。このアース配線１４は、図３に示すように、カバー本体６の内側に原稿搬送方向に平行するように取り付けられた接続板３１と、この接続板３１に一端部が電気的に接続された電気配線３２と、この電気配線３２の他端部に設けられた導電性アース部材３３と、を備えている。
【００２７】
接続板３１は、外装カバー７４に取り付けられた金属製の部材を電気的に接続するためのものであって、図３に示すように、細長な矩形形状を有する金属製の平板部材である。この接続板３１は、下方から支持されることにより、その長手方向一端部がセパレートローラ１７のローラ軸１８に、長手方向中央部が第１従動ローラ１１のローラ軸２４に、長手方向他端部が第２従動ローラ１２のローラ軸２７に、それぞれ下方から接触している。更に、接続板３１は、補強ステー１３の上面に密着した状態でネジ３０を用いて補強ステー１３に固定されている。これにより、金属製の部材であるセパレートローラ１７のローラ軸１８、第１従動ローラ１１のローラ軸２４、第２従動ローラ１２のローラ軸２７、及び補強ステー１３が、接続板３１を介して電気的に接続されている。尚、接続板３１を用いて接続される金属製の部材が本実施例に限定されないのはもちろんである。
【００２８】
導電性アース部材３３は、外装カバー７４の開閉動作に影響を受けることなく、電気配線３２の一端を装置本体７３の回転軸５に確実に接続するためのものである。ここで、図５は、導電性アース部材３３の外観を示す概略斜視図である。導電性アース部材３３は、金属製の薄板材を打ち抜き加工及び折り曲げ加工して形成したものであって、カバー本体６に取り付けられる取付部３５と、軸受け９及び側壁８に密着される密着部３６と、軸受け９の挿入孔１５に挿入される挿入部３７と、を有している。取付部３５は、平面視で略矩形形状を有し、その中央部を貫通してネジ挿通孔３８が形成されている。密着部３６は、取付部３５の一端縁から取付部３５と略９０°の角度をなして起立し、図４に示す側壁８及び軸受け９の形状に合わせて、その一部が斜めに切り落とされている。また、挿入部３７は、密着部３６の先端から密着部３６と略９０°の角度をなして取付部３５と逆方向へ延び、その幅は挿入孔１５の径より小さく、その長さは挿入孔１５の長さと同程度かそれより若干短く形成されている。尚、導電性アース部材３３は、金属製に限られず例えば導電性を有する樹脂によって形成してもよい。
【００２９】
このように構成される導電性アース部材３３は、図４に示すように、その挿入部３７が軸受け９の挿入孔１５に挿入され、且つその密着部３６が軸受け９及び側壁８に密着された状態で、その取付部３５が取付用ボス４０の上に固定される。この取付用ボス４０は、カバー本体６の内側面７であって軸受け９より若干内側の位置に突出して設けられた略円柱形状の部材であって、図４に詳細は示さないが、その上面から所定の深さのネジ孔が形成されている。取付部３５は、ネジ３９が図５に示すネジ挿通孔３８を通してボス取付部３５のネジ孔にねじ込まれることにより、カバー本体６に固定される。このように、導電性アース部材３３を軸受け９及び側壁８に密着させて取り付けることにより、導電性アース部材３３が搬送経路１を搬送される原稿７２の邪魔にならないという利点がある。尚、取付用ボス４０を設けることなく、導電性アース部材３３をカバー本体６に直接固定してもよい。
【００３０】
電気配線３２は、接続板３１と導電性アース部材３３とを電気的に接続するためのものである。この電気配線３２の一端は、図３に示すように、接続板３１を補強ステー１３に固定するネジによって接続板３１の上面に固定されることにより、接続板３１に対して電気的に接続される。また、電気配線３２の他端は、図４に示すように、導電性アース部材３３を取付用ボス４０に固定するネジ３９によって導電性アース部材３３の取付部３５に固定されることにより、導電性アース部材３３に対して電気的に接続される。更に、電気配線３２の中間部は、図３に示すように、補強ステー１３をカバー本体６に固定するネジ３０によって補強ステー１３の上面に電気的に接続される。これにより、外装カバー７４に取り付けられた複数の金属製の部材は、接続板３１及び電気配線３２を介して導電性アース部材３３に電気的に接続される。尚、電気配線３２の中間部を補強ステー１３に電気的に接続することにより、補強ステー１３と導電性アース部材３３をより確実に電気的に接続することができるという利点がある。加えて、電気配線３２の中間部を補強ステー１３に固定して電気配線３２の弛みを少なくすれば、外装カバー７４の開閉動作時に、電気配線３２が各種ローラ等に絡むことを防止できるという利点もある。
【００３１】
尚、複数の金属製の部材を導電性アース部材３３に電気的に接続する手段は、本実施例のように接続板３１と１本の電気配線３２を用いる方法に限られず、例えば電気配線３２の一端側を複数に分岐させ、接続板３１を介することなく、分岐した各端部を各金属製の部材に直接接続してもよい。また、各金属製の部材と導電性アース部材３３とを、別々の電気配線３２を用いて個別に接続してもよい。また、本発明に係る電気配線３２とは、導電性を有する部材であれば足り、金属からなる棒状または板状の部材、或いはコイルバネ等も含む広い概念である。
【００３２】
以上のように構成される外装カバー７４は、図３に示す左右の軸受け９の挿入孔１５に対し、図２に示す装置本体７３の左右の回転軸５を、軸受け９の外側からそれぞれ挿入させることにより、装置本体７３に装着される。これにより、各回転軸５が各軸受け９によって回転可能に支持されるので、外装カバー７４を回転軸５廻りに回転させることで開閉することができる。ここで、図６は、回転軸５の軸受け９への挿入を模式的に示す概略縦断面図である。図６Ａに示すように、軸受け９は、回転軸５が挿入されない状態では、その挿入孔１５に対し内側から前記導電性アース部材３３の挿入部３７が挿入されている。この時、前述のように挿入部３７の長さは挿入孔１５の長さと同程度かそれより若干短く形成されているので、図６Ａに示すように、挿入部３７の先端は挿入孔１５の内部に位置している。
【００３３】
そして、図６Ａの状態から、軸受け９の挿入孔１５に対して外側から回転軸５を挿入させると、図６Ｂに示すように回転軸５が挿入部３７の先端に接触した後、導電性アース部材３３は軸受け９の内側方向への力を回転軸５から受ける。ここで、前述のように導電性アース部材３３は薄板材からなる弾性変形しやすい部材である。従って、回転軸５から力を受けた導電性アース部材３３は、図６Ｃに示すように、その密着部３６が後方に反り返るように弾性変形し、元の形状に復帰しようとする自らの弾性により、挿入部３７の先端を回転軸５に押し付けた状態となる。これにより、外装カバー７４に取り付けられた複数の金属製の部材が、接続板３１と電気配線３２と導電性アース部材３３を介して、装置本体７３の回転軸５に電気的に接続される。そして、前述のように回転軸５は基準電位面に電気的に接続されているので、前記複数の金属製の部材は基準電位面に電気的に接続されることによりアースされる。これにより、装置本体７３に収容された電気部品に電流が流れて磁界が発生しても、外装カバー７４に取り付けられた金属製の部材はアンテナとして機能しにくく、放射ノイズの発生が抑制される。もちろん、外装カバー７４の内側に電気部品を取り付けた場合でも、同様の効果が得られる。
【００３４】
また、このような外装カバー７４のアース構造によれば、外装カバー７４の開閉動作時に軸受け９の挿入孔１５の内部で回転軸５が若干動いても、回転軸５の動きに追従して導電性アース部材３３が弾性変形し或いは元の形状に復帰することにより、挿入部３７の先端が回転軸５に接触した状態が維持される。また、外装カバー７４をアースするためのアース配線１４が、図７に示す外装カバー７４と装置本体７３の境界８２を跨がないので、外装カバー７４の開閉動作時にアース配線１４が屈曲し或いは引っ張られて伸びることによって外装カバー７４のアースが不安定化することがない。また、長期に渡って外装カバー７４の開閉動作を繰り返しても、アース配線１４がダメージを受けることがない。更に、アース配線１４の全体が外装カバー７４の内部に収容されるので、アース配線１４が外部に剥き出しになってＡＤＦ７０の美観が損なわれることもない。
【００３５】
尚、導電性アース部材３３の形状は、本実施例に限られず適宜設計変更が可能である。例えば、図に詳細は示さないが、導電性アース部材３３を取付部３５と密着部３６だけで構成する一方、回転軸５の長さを挿入孔１５の長さより長く形成し、回転軸５を挿入孔１５に貫通させて反対側から突出した部分によって密着部３６を押して弾性変形させてもよい。また、本実施例では導電性アース部材３３を介して電気配線３２の一端を回転軸５に接続したが、導電性アース部材３３を介さずに、例えば電気配線３２の一端を挿入孔１５の内部に差し込んだ状態としておき、挿入孔１５の逆側から挿入した回転軸５の先端を接触させてもよい。しかし、本実施例のように導電性アース部材３３をその弾性によって回転軸５に押し付けた方が、アース配線１４の一端と回転軸５との電気的な接続が、外装カバー７４の開閉動作によって影響を受けにくいという利点がある。
【００３６】
また、本実施例では、図７において原稿搬送方向に向かって右側のヒンジ部７５を介して外装カバー７４をアースしたが、これに限られず、原稿搬送方向に向かって左側のヒンジ部を介して、或いは原稿搬送方向に向かって左右両側のヒンジ部７５を介して、外装カバー７４をアースすることも可能である。更に、本実施例では、ヒンジ機構７５を構成する回転軸５を装置本体７３に設け、軸受け９を外装カバー７４に設けたが、これとは逆に、回転軸５を外装カバー７４に設け、軸受け９を装置本体７３に設けてもよい。この場合、導電性アース部材３３を介さずに、電気配線３２の一端を回転軸５に直接接続することができる。また、本実施例では、コピーファクシミリ複合機に装備されたＡＤＦ７０を例に説明したが、このＡＤＦ７０をコピー専用機やファクシミリ専用機に装備することももちろん可能である。
【産業上の利用可能性】
【００３７】
本発明に係る回転部のアース構造は、ＡＤＦに適用可能なだけでなく、基準電位面にアースされた固定部と、この固定部に対してヒンジを介して回転可能に設けられた回転部とを備えていれば、任意の装置に適用することができる。
【図面の簡単な説明】
【００３８】
【図１】本発明の実施例に係るＡＤＦ７０の外装カバー７４を開いた状態を示す概略斜視図。
【図２】外装カバー７４を取り外したＡＤＦ７０について、原稿搬送方向に向かって右側のヒンジ機構７５を拡大した概略斜視図
【図３】外装カバー７４を装置本体７３から取り外して裏返した状態を示す概略斜視図。
【図４】図３において原稿搬送方向に向かって左側の軸受け９周辺を拡大した部分拡大斜視図。
【図５】導電性アース部材３３の外観を示す概略斜視図。
【図６】回転軸５の軸受け９への挿入を模式的に示す概略縦断面図。
【図７】従来のＡＤＦ７０の外観を示す概略斜視図。
【図８】従来の外装カバー７４を装置本体７３から取り外して裏返した状態を示す概略斜視図。
【符号の説明】
【００３９】
５  回転軸
９  軸受け
１３  補強ステー（金属製の部材）
１４  アース配線
１８  ローラ軸（金属製の部材）
２４  ローラ軸（金属製の部材）
２７  ローラ軸（金属製の部材）
３３  導電性アース部材
７０  ＡＤＦ（自動原稿搬送装置）
７３  装置本体（固定部）
７４  外装カバー（回転部）
【図１】
2010122359.tif 000003
【図２】
2010122359.tif 000004
【図３】
2010122359.tif 000005
【図４】
2010122359.tif 000006
【図５】
2010122359.tif 000007
【図６】
2010122359.tif 000008
【図７】
2010122359.tif 000009
【図８】
2010122359.tif 000010